【手続補正書】
【提出日】平成29年12月25日(2017.12.25)
【手続補正１】
【補正対象書類名】特許請求の範囲
【補正対象項目名】全文
【補正方法】変更
【補正の内容】
【特許請求の範囲】
【請求項１】
複数の放射線撮影部を用いる長尺撮影の制御装置であって、
前記放射線撮影部が放射線の照射を許可する状態、または放射線の照射を許可しない状態であることを示す状態情報を、前記放射線撮影部から取得する取得部と、
前記放射線撮影部から取得した状態情報に基づいて、複数の放射線撮影部の全てが放射線の照射を許可する状態であるか否かを判定する判定手段と、
前記複数の放射線撮影部の全てが放射線の照射を許可する状態である場合、長尺撮影が可能であることを表示部に表示させる表示制御手段と、
を有することを特徴とする制御装置。
【請求項２】
前記複数の放射線撮影部は第一及び第二の放射線撮影部であり、
前記表示制御手段は、
前記複数の放射線撮影部のそれぞれからの状態情報に基づいて、
前記第一の放射線撮影部が第二の状態であり前記第二の放射線撮影部が第一の状態である場合には前記特定の領域を第一の表示態様で表示させ、
前記第一の放射線撮影部が第一の状態であり前記第二の放射線撮影部が第二の状態である場合には前記特定の領域を前記第一の表示態様で表示させ、
前記第一および第二の放射線撮影部が前記第一の状態である場合には、前記特定の領域を前記第一の表示態様で表示させ、
前記第一および第二の放射線撮影部が前記第二の状態である場合には前記表示部により表示される特定の領域を前記第一の表示態様とは異なる第二の表示態様で表示させることを特徴とする請求項１に記載の制御装置。
【請求項３】
前記表示制御手段は、前記第一の態様として前記特定の領域を第一の色で、
前記表示制御手段は、前記第二の態様として前記特定の領域を第二の色で、表示させることを特徴とする請求項１に記載の制御装置。
【請求項４】
前記複数の放射線撮影部は第一及び第二の放射線撮影部を含み、
前記表示制御手段は、前記判定手段による判定が第一の判定であるか第二の判定であるかに応じて特定の領域の表示を制御し、
前記表示制御手段はさらに、前記第一の放射線撮影部の状態と対応した表示がされる第一の領域の表示と、前記第二の放射線撮影部の状態と対応した表示がされる第二の領域の表示とを制御することを特徴とする請求項１乃至３のいずれか１項に記載の制御装置。
【請求項５】
前記複数の放射線撮影部は第一、第二及び第三の放射線撮影部であり、
前記表示制御手段は、前記第一の放射線撮影部の状態と対応した表示がされる第一の領域の表示と、前記第二の放射線撮影部の状態と対応した表示がされる第二の領域の表示と、
前記第三の放射線撮影部の状態と対応した表示がされる第三の領域の表示と、を制御し、
前記表示制御部の制御により、前記複数の放射線撮影部を収納する複数の収納部により定められる前記第一、第二及び第三の放射線撮影部の配置関係に応じた配置で、前記第一の領域、前記第二の領域及び前記第三の領域が前記表示部に表示されることを特徴とする
請求項１乃至４のいずれか１項に記載の制御装置。
【請求項６】
前記表示制御手段は、前記判定手段による判定が第一の判定であるか第二の判定である
かに応じて特定の領域の表示を制御する特定の表示制御を行い、
前記表示制御手段はさらに、前記特定の表示制御を行うか否かを切り替えることを特徴
とする請求項１乃至５のいずれか１項に記載の制御装置。
【請求項７】
放射線撮影の撮影部位を含む撮影条件を指定する指定手段をさらに有し、
前記表示制御手段は、前記指定手段により指定される撮影条件が、長尺撮影の撮影条件であるか、長尺撮影ではない撮影方法の撮影条件であるか否かに応じて、前記特定の表示制御を行うか否かを切り替えることを特徴とする請求項６に記載の制御装置。
【請求項８】
前記複数の放射線撮影部のそれぞれは、前記長尺撮影に用いる放射線発生部による放射線の発生と前記複数の放射線撮影部の状態とを同期させるための通信を行う第一のモードと、前記複数の放射線撮影部のそれぞれは、前記同期させるための通信を行わない第二のモードと、で動作し、
前記表示制御手段は、前記複数の放射線撮影部の少なくとも１つが第二のモードで動作する場合には少なくとも、前記判定手段による判定が第一の判定であるか第二の判定であるかに応じて特定の領域の表示を制御する特定の表示制御を行うことを特徴とする請求項１乃至７のいずれか１項に記載の制御装置。
【請求項９】
複数の放射線撮影部を用いる長尺撮影の制御装置であって、
前記放射線撮影部が放射線の照射を許可する状態、または放射線の照射を許可しない状態であることを示す状態情報を、前記放射線撮影部から取得する取得部と、
前記放射線撮影部から取得した状態情報に基づいて、複数の放射線撮影部の少なくとも１つが放射線の照射を許可しない状態であるか否かを判定する判定手段と、
前記複数の放射線撮影部の少なくとも１つが放射線の照射を許可しない状態である場合、長尺撮影が不可能であることを表示部に表示させる表示制御手段と、
を有することを特徴とする制御装置。
【請求項１０】
複数の放射線撮影部を用いる長尺撮影を行う放射線撮影システムであって、
前記放射線撮影部が放射線の照射を許可する状態、または放射線の照射を許可しない状態であることを示す状態情報を、前記放射線撮影部から取得する取得部と、
前記放射線撮影部から取得した状態情報に基づいて、複数の放射線撮影部の全てが放射線の照射を許可する状態であるか否かを判定する判定手段と、
前記複数の放射線撮影部の全てが放射線の照射を許可する状態である場合、長尺撮影が可能であることを表示部に表示させる表示制御手段と、
を有することを特徴とする放射線撮影システム。
【請求項１１】
複数の放射線撮影部を用いる長尺撮影を行う放射線撮影システムであって、
前記放射線撮影部が放射線の照射を許可する状態、または放射線の照射を許可しない状態であることを示す状態情報を、前記放射線撮影部から取得する取得部と、
前記放射線撮影部から取得した状態情報に基づいて、複数の放射線撮影部の少なくとも１つが放射線の照射を許可しない状態であるか否かを判定する判定手段と、
前記複数の放射線撮影部の少なくとも１つが放射線の照射を許可しない状態である場合、長尺撮影が不可能であることを表示部に表示させる表示制御手段と、
を有することを特徴とする放射線撮影システム。
【請求項１２】
複数の放射線撮影部を用いる長尺撮影の制御方法であって、
前記放射線撮影部が放射線の照射を許可する状態、または放射線の照射を許可しない状態であることを示す状態情報を、前記放射線撮影部から取得するステップと、
前記放射線撮影部から取得した状態情報に基づいて、複数の放射線撮影部の全てが放射線の照射を許可する状態であるか否かを判定するステップと、
前記複数の放射線撮影部の全てが放射線の照射を許可する状態である場合、長尺撮影が可能であることを表示部に表示させるステップと、
を有することを特徴とする制御方法。
【請求項１３】
複数の放射線撮影部を用いる長尺撮影の制御方法であって、
放射線撮影部が放射線の照射を許可する状態、または放射線の照射を許可しない状態であることを示す状態情報を、前記放射線撮影部から取得するステップと、
前記放射線撮影部から取得した状態情報に基づいて、複数の放射線撮影部の少なくとも１つが放射線の照射を許可しない状態であるか否かを判定するステップと、
前記複数の放射線撮影部の少なくとも１つが放射線の照射を許可しない状態である場合、長尺撮影が不可能であることを表示部に表示させるステップとを有する制御方法。
【請求項１４】
請求項１２又は１３に記載の制御方法をコンピュータに実行させるためのプログラム。
【手続補正２】
【補正対象書類名】明細書
【補正対象項目名】発明の名称
【補正方法】変更
【補正の内容】
【発明の名称】放射線撮影システム、制御装置、制御方法、及びプログラム